(57)【要約】【課題】メインマイコンをデジタル受信基板上に実装する場合、出荷時に対応シャシ毎にシャシ固有の各種設定データの標準値をデジタル受信基板上のＥＥＰＲＯＭに書き分けることが必要となり、デジタル受信基板としての品種が増加し、生産や市場での基板管理などメンテナンスが煩雑なる。【解決手段】電源起動時にシャシ制御マイコン１０３はシャシ判別データをＥＥＰＲＯＭ１０４から読み出し、メインマイコン１１１にシリアルバスなどを介して通知する。メインマイコン１１１は、シャシ制御マイコン１０３から通信で受け取ったシャシ判別データによって、デジタル受信基板１１４上のＥＥＰＲＯＭ１１２からシャシに対応する各種設定データの標準値を読み分ける。【選択図】図１
2005072836.tif 000002
【特許請求の範囲】
【請求項１】
デジタル放送受信機において、デジタル受信基板上に、受信機が動作するための各種設定データの標準値を保持するＥＥＰＲＯＭと、該ＥＥＰＲＯＭから各種設定データの標準値を読み出し、ＯＳＤ表示回路を制御して表示装置にＯＳＤを表示させたりシャシ制御マイコンへ通信してシャシ制御させたりするメインマイコンとを備え、また表示信号処理基板上に、シャシ判別データやシャシ固有の制御データを保持するＥＥＰＲＯＭと、該ＥＥＰＲＯＭからシャシ固有の制御データを読み出してシャシ制御したり該デジタル受信基板上の該メインマイコンにシャシ判別データを送信するシャシ制御マイコンとを備え、該シャシ制御マイコンからのシャシ判別データによって、該デジタル受信基板上の該ＥＥＰＲＯＭからシャシに対応する各種設定データの標準値を読み分けるようにすることで、全ての対応シャシ用の各種設定データの標準値を該デジタル受信基板上の該ＥＥＰＲＯＭ内に保持でき、該デジタル受信基板の品種を増やさないようにしてメンテナンス性を向上させたことを特徴とするデジタル放送受信システム。
【発明の詳細な説明】
【技術分野】
【０００１】
本発明は、ＣＲＴテレビジョン受信機、液晶テレビジョン受信機、プラズマテレビジョン受信機などに内蔵されるデジタル放送受信システムに関するものである。
【背景技術】
【０００２】
デジタル放送受信機能を備えたテレビジョン受信機において、デジタル信号受信処理を制御するマイコンを実装したデジタル受信基板と、テレビジョン受信機のシャシ制御を行うマイコンを実装した映像信号処理基板を持つデジタル放送受信システムは、ＣＲＴテレビジョン受信機、液晶テレビジョン受信機、プラズマテレビジョン受信機など多様な受信機群にシステム展開が容易にできるよう実用に共されている。
【０００３】
実用されているデジタル放送受信システムは、メインマイコンは映像信号処理基板上に実装され、シャシ固有の制御データは映像信号処理基板上のＥＥＰＲＯＭに保持されており、デジタル受信基板は対応シャシの種別には依存しないデジタル受信に関連するデータのみをデジタル受信基板上のＥＥＰＲＯＭに保持するようにしていた。
【０００４】
一方、テレビジョン受信機としてサービスや修理時にシャシ基板を取りかえる場合に、調整用やマイコン起動時の状態値など各種設定値の煩わしい入力の手間を省きメンテナンスを容易にする手段としては特開平１０−２２４７０６号公報などが公知である。
【０００５】
図２に示すように、リモコンなどの入力を受けつける入力部２０１と、その操作を識別し制御を行う選局マイコン２０２と、マイコンの起動用各種設定値を記憶させておくＥＥＰＲＯＭ２０４で構成される制御部プリント基板２０５と、チューナー２０７と映像回路２０８で構成される受信回路部プリント基板２１１にＥＥＰＲＯＭ２０９を設け、制御部プリント基板２０５の取り替え直前の各種設定値を受信回路部基板２１１上のＥＥＰＲＯＭ２０９に書き、制御部プリント基板２０５取替え後に取り替え直前の設定値を記憶した受信回路部プリント基板２１１上のＥＥＰＲＯＭ２０９から取り替えた制御部プリント基板２０５上のＥＥＰＲＯＭ２０４に書きかえるようにする技術例があるが、受信回路部プリント基板上にはマイコンは存在せず、メインマイコンを伴う形態でデジタル受信機能を受信回路部に付加した場合、受信回路部基板の交換に関してはメンテナンス性は確保できない。
【０００６】
デジタル受信基板上のマイコンと映像信号処理基板上のマイコンとＯＳＤ表示などその周辺回路を合理化するため、デジタル受信基板上のマイコンをメインマイコンとし、映像信号処理基板上のマイコンはシャシ制御のみを行うサブマイコンとするシステムを実用とする際に、シャシ固有の設定データもデジタル受信基板上のＥＥＰＲＯＭに保持することが必要となる。
【特許文献１】特開平１０−２２４７０６号公報
【発明の開示】
【発明が解決しようとする課題】
【０００７】
メインマイコンをデジタル受信基板上に実装する場合、出荷時に対応シャシ毎にシャシ固有の各種設定データの標準値をデジタル受信基板上のＥＥＰＲＯＭに書き分けることが必要となり、デジタル受信基板としての品種が増加し、生産や市場での基板管理などメンテナンスが煩雑なるという問題を有していた。
【課題を解決するための手段】
【０００８】
上記問題点を解決するために本発明のデジタル放送受信システムは、デジタル受信基板上に、受信機が動作するための各種設定データの標準値を保持するＥＥＰＲＯＭと、ＥＥＰＲＯＭから各種設定データの標準値を読み出し、ＯＳＤ表示回路を制御して表示装置にＯＳＤを表示させたりシャシ制御マイコンへ通信してシャシ制御させたりするメインマイコンとを備え、また映像信号処理基板上に、シャシ判別データやシャシ固有の制御データを保持するＥＥＰＲＯＭと、ＥＥＰＲＯＭからシャシ固有データを読み出してシャシ制御したりデジタル受信基板上のメインマイコンにシャシ判別データを送信するシャシ制御マイコンとを備え、シャシ制御マイコンからのシャシ判別データによって、デジタル受信基板上のＥＥＰＲＯＭから各シャシに対応する各種設定データの標準値を読み分けるようにする。
【発明の効果】
【０００９】
以上のように本発明のデジタル放送受信システムでは、シャシ制御マイコンから通信で受け取るシャシ判別データによって、デジタル受信基板上のＥＥＰＲＯＭからシャシに対応する各種設定データの標準値を読み分けるようにすることで全ての対応シャシ用の各種設定データの標準値をデジタル受信基板上のＥＥＰＲＯＭ内に保持でき、デジタル受信基板の品種を増やさないようにして生産や市場での基板管理などのメンテナンス性を向上させることができる。
【発明を実施するための最良の形態】
【００１０】
本発明は、全ての対応シャシ用の各種設定データの標準値をデジタル受信基板上のＥＥＰＲＯＭ内に保持し、シャシ判別データは映像信号処理基板上のＥＥＰＲＯＭに保持しておき、シャシ制御マイコンからシャシ判別データをデジタル受信基板上のメインマイコンに送信し、受信したシャシ判別データによって、対応シャシ用の各種設定データの標準値を読み分けることが最も主要な本発明の特徴である。
【実施例１】
【００１１】
図１は、本発明装置の１実施例の構成図であって、１０１はリモコンや本体ボタンなどのキー入力回路、１０２はＵＶチューナやビデオ入力などのアナログ入力選択回路、１０３はシャシ制御マイコン、１０４はシャシ固有の制御データやシャシ判別データを保持するＥＥＰＲＯＭ、１０５は映像信号処理回路、１０６は表示デバイス駆動回路、１０７は映像信号処理基板、１０８はデジタル放送受信アンテナ、１０９はデジタルチューナ、１１０はＴＳをデコードして映像信号に変換するＡＶデコーダ、１１１はデジタル受信制御やＯＳＤ表示制御やシャシ制御を指令するメインマイコン、１１２は全ての対応シャシ用の各種設定データやその標準値を保持するＥＥＰＲＯＭ、１１３はＯＳＤ表示回路、１１４はデジタル受信基板である。
【００１２】
以上のように構成されたデジタル放送受信システムについて、以下その動作を説明する。
【００１３】
シャシ制御マイコン１０３はキー入力回路１０１からユーザ操作を受け、入力情報をシリアルバス等を介してメインマイコン１１１へ通知する。メインマイコン１１１は受けた入力情報からどの入力信号を表示デバイスへ表示させるべきか、どのチャンネルを選局するのかなどを判断し、デジタル放送信号を表示させる場合、デジタルチューナ１０９を制御しユーザの入力に応じたデジタルチャンネルを選局させ、ＡＶデコーダ１１０を制御し、得られたＴＳをデコードさせて映像信号に変換し、映像信号処理回路１０５へ出力する。同時にメインマイコン１１１は必要な各種設定データをＥＥＰＲＯＭ１１２から読み込み、各種のＯＳＤ表示をＯＳＤ制御回路１１３を通じて描画したり、シャシ制御マイコン１０３へ各種の制御コマンドを送信する。制御コマンドを受け取ったシャシ制御マイコン１０３は、アナログ入力選択回路１０２を制御したり、ＥＥＰＲＯＭ１０４から各種のシャシ固有データを読み込み、読み込んだデータに応じて映像信号処理回路１０５を制御して映像信号を選択及び調整し、表示デバイス駆動回路１０６へ出力映像信号を出力させる。表示デバイス駆動回路１０６は受けた出力映像信号を、ＣＲＴや液晶などの当該シャシの表示デバイスに応じた出力信号形態へ変換して表示デバイスを駆動する。
【００１４】
さて、映像や音声の各種設定データの標準値はＥＥＰＲＯＭ１２に保持するが、この標準値はシャシ毎に異なる場合が多く、デジタル受信基板１１４のＥＥＰＲＯＭ１１２の出荷状態も含めて考えると各種のシャシ用にデジタル受信基板１１４の品種が増え、各シャシ用毎に生産や市場にて管理する必要が生じるので管理が煩雑になり、また補修用としてのメンテナンス性にも問題がある。
【００１５】
前記管理の煩雑さやメンテナンス性の問題を回避する為には、各シャシ用の各種設定データの標準値を全てＥＥＰＲＯＭ１２内に保持し、デジタル受信基板を組み合わせるシャシ毎に各シャシ用の標準値をＥＥＰＲＯＭ１２から読み分けてＯＳＤ表示したり、シャシ制御マイコンにコマンド通知すれば良い。
【００１６】
そこで、電源起動時にシャシ制御マイコン１０３はシャシ判別データをＥＥＰＲＯＭ１０４から読み出し、メインマイコン１１１にシリアルバスなどを介して通知する。メインマイコン１１１は、シャシ制御マイコン１０３から通信で受け取ったシャシ判別データによって、デジタル受信基板１１４上のＥＥＰＲＯＭ１１２からシャシに対応する各種設定データの標準値を読み分ける。
【産業上の利用可能性】
【００１７】
前記のように全ての対応シャシ用の各種設定データの標準値をデジタル受信基板上のＥＥＰＲＯＭ内に保持し、シャシ制御マイコンからシャシ判別データをデジタル受信基板上のメインマイコンに送信し、受信したシャシ判別データによって、対応シャシ用の各種設定データの標準値を読み分けることで、デジタル受信基板の品種を増やさないようにしてメンテナンス性を向上させることができる。
【００１８】
また本発明は、デジタル受信基板１１４をＯＥＭ販売する場合においても、ＯＥＭ先に応じて設定データの標準値を複数持ち分けることができ、販売展開にも有利となる。
【００１９】
またテレビジョン受信機の分野のみならず、ＤＶＤ録画再生機やハードディスク録画機など、デジタル放送受信機能を組み込む各種民生機器においても同様な効果が得られる。
【図面の簡単な説明】
【００２０】
【図１】本発明の一実施例におけるデジタル放送受信システムのブロック構成図
【図２】従来の一実施例におけるテレビジョン受信機のブロック構成図
【符号の説明】
【００２１】
１０１    キー入力回路
１０２    アナログ入力選択回路
１０３    シャシ制御マイコン
１０４    ＥＥＰＲＯＭ
１０５    映像信号処理回路
１０６    表示デバイス駆動回路
１０７    映像信号処理基板
１０８    デジタル放送受信アンテナ
１０９    デジタルチューナ
１１０    ＡＶデコーダ
１１１    メインマイコン
１１２    ＥＥＰＲＯＭ
１１３    ＯＳＤ表示回路
２０１    入力部
２０２    選局マイコン
２０３    表示回路
２０４    ＥＥＰＲＯＭ
２０５    制御部プリント基板
２０６    アンテナ
２０７    チューナー
２０８    映像回路
２０９    ＥＥＰＲＯＭ
２１０    ＣＲＴ
２１１    受信回路部プリント基板
【図１】
2005072836.tif 000003
【図２】
2005072836.tif 000004